(57)【要約】【課題】光源から出射された光を高効率に照明ランプの照射光として利用することによって光利用効率を向上させた照明装置を提供することを目的とする。【解決手段】照明装置は、長尺形状であり、長手方向に対して平行な面に光源が配置された光源モジュールと、透光性を有する樹脂である第１のカバー材料を用いて、光源モジュールの表面のうち光源の光が出射される出射側の表面を覆うように形成された長尺の透光部と、透光部と一体化されており、第１のカバー材料よりも反射率が高い材料が混合された樹脂である第２のカバー材料を用いて形成されており、出射側の面と反対側の面が光源モジュールと対向するとともに先端に向かうほど厚みが薄くなるように出射側の面が反対側の面に対して傾斜している保持突起部と、を備えているものである。【選択図】図２６
2018113273.tif 000002
【特許請求の範囲】
【請求項１】
長尺形状であり、長手方向に対して平行な面に光源が配置された光源モジュールと、
透光性を有する樹脂である第１のカバー材料を用いて、前記光源モジュールの表面のうち前記光源の光が出射される出射側の表面を覆うように形成された長尺の透光部と、
前記透光部と一体化されており、前記第１のカバー材料よりも反射率が高い材料が混合された樹脂である第２のカバー材料を用いて形成されており、前記出射側の面と反対側の面が前記光源モジュールと対向するとともに先端に向かうほど厚みが薄くなるように前記出射側の面が前記反対側の面に対して傾斜している保持突起部と、
を備えた照明装置。
【請求項２】
前記保持突起部は、
前記光源に向かうほど厚みが薄くなるように形成されている請求項１に記載の照明装置。
【請求項３】
前記保持突起部は、
前記光源の照射角αの範囲外に形成されている請求項１又は２に記載の照明装置。
【請求項４】
前記光源モジュールは前記光源が実装される基板を有しており、
前記基板の実装面には前記基板の材料の反射率よりも高い反射率であるレジストが塗布されている請求項１〜請求項３のいずれか１項に記載の照明装置。
【発明の詳細な説明】
【技術分野】
【０００１】
本発明は、照明ランプを用いた照明装置に関するものである。
【背景技術】
【０００２】
近年、環境配慮の社会的要請を受け、従来の白熱電球や蛍光灯に比べて長寿命であり低消費電力の固体発光素子の１つである発光ダイオード（Ｌｉｇｈｔ  Ｅｍｉｔｔｉｎｇ  Ｄｉｏｄｅ；以下ＬＥＤと称す。）を光源として用いた照明ランプ及び照明装置の普及が拡大している。
【０００３】
ＬＥＤを用いた照明ランプとして、例えば特許文献１のように、ＬＥＤを用いた発光部と、発光部が配設される配設面が設けられたヒートシンク（特許文献１の伝熱部材が該当）と、透光性を有する樹脂材料から形成され発光部とヒートシンクを収納する長尺のカバーと、カバーの長手方向における両端部に取り付けされた一対の口金とを有するものがあった。また、特許文献１の照明ランプは、カバーが円筒状に形成され、その周壁には一対の保持突起部（特許文献１の第１リブが該当）が突設され、保持突起部がヒートシンクの配設面に当接した状態で、ヒートシンクはカバーの内部に固定される。
【先行技術文献】
【特許文献】
【０００４】
【特許文献１】特許第５３４７０８５号公報
【発明の概要】
【発明が解決しようとする課題】
【０００５】
特許文献１のカバーは透光性を有する樹脂材料から形成されており、ＬＥＤから出射された光の一部は、カバーによってヒートシンク又は保持突起部側に向かって反射する。このように反射した光の多くは、ヒートシンク又は保持突起部によって吸収されてしまい、吸収された光は照明ランプの内部に留まるため照明空間を照射する照射光として利用することができなかった。つまり、特許文献１の発明は照明ランプの発光効率において、改善の余地を残していた。
【０００６】
本発明は、上記の課題を鑑みてなされたものであり、光源から出射された光を高効率に照明ランプの照射光として利用することによって光利用効率を向上させた照明装置を提供することである。
【課題を解決するための手段】
【０００７】
本発明の照明ランプは、長尺形状であり、長手方向に対して平行な面に光源が配置された光源モジュールと、光源モジュールの表面のうち光源の光が出射される出射側の表面を覆う長尺の透光部と、透光部の内側に向かって突出し、出射側の面が透光部よりも反射率が高く、出射側の面と反対側の面が光源モジュールと当接する保持突起部と、を有するカバーと、を備えたことを特徴としている。
【０００８】
また、本発明の照明ランプ用カバーは、長尺形状であり長手方向に対して平行な面に光源が設置された光源モジュールの表面のうち光源の光が出射される出射側の表面を覆う透光部と、透光部の内側に向かって突出し、出射側の面が透光部よりも反射率が高く、出射側の面と反対側の面が光源モジュールと当接する保持突起部と、を備えたことを特徴としている。
【０００９】
また、本発明の照明装置は、長尺形状であり、長手方向に対して平行な面に光源が配置された光源モジュールと、透光性を有する樹脂である第１のカバー材料を用いて、光源モジュールの表面のうち光源の光が出射される出射側の表面を覆うように形成された長尺の透光部と、透光部と一体化されており、第１のカバー材料よりも反射率が高い材料が混合された樹脂である第２のカバー材料を用いて形成されており、出射側の面と反対側の面が光源モジュールと対向するとともに先端に向かうほど厚みが薄くなるように出射側の面が反対側の面に対して傾斜している保持突起部と、を備えたことを特徴としている。
【発明の効果】
【００１０】
本発明の照明装置は、カバーの保持突起部の他方の面が透光部よりも反射率が高いため、光源モジュールから出射され透光部で保持突起部へ向かって反射された光は、保持突起部によって再び透光部へ反射され、光源から出射された光を効率的に利用でき、照明ランプの発光効率を向上させる効果を奏する。
【図面の簡単な説明】
【００１１】
【図１】本発明に係る照明装置の斜視図である。
【図２】実施の形態１に係る照明ランプの斜視図である。
【図３】実施の形態１に係る照明ランプの図２のＡ−Ａ断面を示す断面図である。
【図４】実施の形態１に係るカバーの一方の端部（矢印Ｘの基点側）からの斜視図で    ある。
【図５】実施の形態１に係るカバーの他方の端部（矢印Ｘの先端側）からの斜視図で    ある。
【図６】実施の形態１に係るヒートシンクの一方の端部（矢印Ｘの基点側）からの斜    視図である。
【図７】実施の形態１に係るヒートシンクの他方の端部（矢印Ｘの先端側）からの斜    視図である。
【図８】実施の形態１に係る照明ランプの光の経路を示す断面図である。
【図９】実施の形態１の第１の変形例に係る照明ランプの断面図である。
【図１０】実施の形態１の第２の変形例に係る照明ランプの断面図である。
【図１１】実施の形態１の第３の変形例に係る照明ランプの断面図である。
【図１２】実施の形態１の第４の変形例に係る照明ランプの断面図である。
【図１３】実施の形態１の第５の変形例に係る照明ランプの断面図である。
【図１４】実施の形態１の第５の変形例に係るヒートシンクの一方の端部（矢印Ｘの    基点側）からの斜視図である。
【図１５】実施の形態１の第５の変形例に係るヒートシンクの他方の端部（矢印Ｘの    先端側）からの斜視図である。
【図１６】実施の形態１の第６の変形例に係る照明ランプの断面図である。
【図１７】実施の形態１の第７の変形例に係る照明ランプの断面図である。
【図１８】実施の形態１の第８の変形例に係る照明ランプの断面図である。
【図１９】実施の形態１の第９の変形例に係る照明ランプの断面図である。
【図２０】実施の形態２に係る照明ランプの斜視図である。
【図２１】実施の形態２に係る照明ランプの図２０のＢ−Ｂ断面を示す断面図である    。
【図２２】実施の形態２に係る照明ランプの側面図である。
【図２３】実施の形態３に係る照明ランプの斜視図である。
【図２４】実施の形態３に係る照明ランプの図２３のＣ−Ｃ断面を示す断面図である    。
【図２５】実施の形態３に係る照明ランプの側面図である。
【図２６】実施の形態４に係る照明ランプの断面図である。
【図２７】実施の形態４に係る照明ランプの側面図である。
【図２８】実施の形態４に係るカバーの一方の端部（矢印Ｘの基点側）からの斜視図    である。
【図２９】実施の形態４に係るカバーの他方の端部（矢印Ｘの先端側）からの斜視図    である。
【図３０】実施の形態４の第１の変形例に係る照明ランプの断面図である。
【図３１】実施の形態４の第２の変形例に係る照明ランプの断面図である。
【図３２】実施の形態４の第２の変形例に係るカバーの一方の端部（矢印Ｘの基点側    ）からの斜視図である。
【図３３】実施の形態４の第２の変形例に係るカバーの他方の端部（矢印Ｘの先端側    ）からの斜視図である。
【図３４】実施の形態５に係る照明ランプの断面図である。
【図３５】実施の形態６に係る照明ランプの断面図である。
【発明を実施するための形態】
【００１２】
以下、本発明の実施の形態について、図を用いて説明する。なお、各図中、同一又は相当する部分には、同一符号を付している。実施の形態の説明において、同一又は相当する部分については、その説明を適宜省略又は簡略化する。また、各図では矢印Ｘ、矢印Ｙ、矢印Ｚを、相互に直交する直交座標系の３軸方向に定義しているが、これは、説明のために便宜上記したものであり、装置、器具、部品等の配置や向き等を限定するものではない。装置、器具、部品等の構成について、その材質、形状、大きさ等は、本発明の範囲内で適宜変更することができる。
【００１３】
実施の形態１．
図１は、本発明に係る照明装置の斜視図である。照明装置１００は、電力を供給されることによって点灯する長尺形状の照明ランプ１と、照明ランプ１を装着可能であり照明ランプ１に電力を供給する照明器具１０１と、を具備する。照明装置１００は、照明ランプ１を室内に向けて天井又は壁面に取り付けられ、照明ランプ１を点灯させることによって室内に光が照射される。
【００１４】
照明器具１０１は、器具本体１０２と、保持ソケット１０３と、給電ソケット１０４と、電源ボックス１０５と、を備えている。器具本体１０２は、内部が中空であり長尺の箱型形状である。また、器具本体１０２は、Ｖ字ばね又は継手等の取付具（図示省略）を有しており、取付具を用いて天井又は壁面に取り付けられる。
【００１５】
器具本体１０２の照明ランプ１が装着される側の面には、長手方向（矢印Ｘの方向）の一方の端部近傍に保持ソケット１０３と、長手方向（矢印Ｘの方向）の他方の端部近傍に給電ソケット１０４とがそれぞれ突出して設けられている。保持ソケット１０３と給電ソケット１０４の間隔は、照明ランプ１の長手方向の長さに略等しく、保持ソケット１０３と給電ソケット１０４は照明ランプ１を保持することができる。また、給電ソケット１０４は、保持している照明ランプ１と電気的に接続されている。
【００１６】
また、器具本体１０２の内部には、電源ボックス１０５が収納されている。電源ボックス１０５は、外部電源から電力の供給を受け照明ランプ１に適した電圧又は電流に変換する電源装置（図示省略）を有している。電源装置は、給電ソケット１０４と電気的に接続されており、給電ソケット１０４を介して照明ランプ１に電力を供給することができる。
【００１７】
図２は、実施の形態１に係る照明ランプの斜視図である。図３は、実施の形態１に係る照明ランプの図２のＡ−Ａ断面を示す断面図である。なお、図２ではカバー２の内部の説明のため、カバー２の一部を省略している。実施の形態１の照明ランプ１は、長尺中空の筒状であり長手方向（矢印Ｘの方向）の両端部が開口しているカバー２と、光源４と基板５とヒートシンク６とから構成されカバー２の内部に保持される光源モジュール３と、カバー２の長手方向の一方の端部に取り付けられる保持口金７と、カバー２の長手方向の他方の端部に取り付けられる給電口金８と、を備えている。また、図３に示ように、照明ランプ１の長手方向に対して垂直な方向（矢印Ｚの方向）において、後述する光源４から光が出射される側を出射側（矢印Ｚの先端側）と称し、出射側とは反対側を器具側（矢印Ｚの基点側）と称する。すなわち、照明ランプ１は、照明ランプ１の器具側（矢印Ｚの基点側）が照明器具１０１に対抗するように照明器具１０１に装着される。
【００１８】
図４は、実施の形態１に係るカバーの一方の端部（矢印Ｘの基点側）からの斜視図である。図５は、実施の形態１に係るカバーの他方からの端部（矢印Ｘの先端側）の斜視図である。カバー２は、長尺であり円筒形状の円筒部２１と、円筒部２１の内周面より円筒部２１の内側に向かって突出する一対の出射側保持突起部２２と、同じく円筒部２１の内周面より突出する一対の器具側保持突起部２３とが形成されている。また、カバー２の長手方向（矢印Ｘの方向）の両端部は開口している。なお、出射側保持突起部２２と、器具側保持突起部２３は、カバー２の長手方向全体に渡って延在するように形成されており、カバー２を長手方向に垂直に切断した断面の形状は、長手方向の位置によらず常に図３に示すような断面形状になっている。なお、出射側保持突起部２２が、本発明の保持突起部に該当する。
【００１９】
出射側保持突起部２２のうち、円筒部２１の長手方向（矢印Ｘの方向）に対して平行な面のうち出射側の面を出射側平面２２ａと称し、器具側の面を器具側平面２２ｂと称し、出射側平面２２ａと器具側平面２２ｂの間の面を先端面２２ｃと称する。出射側保持突起部２２の出射側平面２２ａと器具側平面２２ｂは略平行である。また、出射側保持突起部２２は、カバー２の内部に光源モジュール３を固定した際に、出射側平面２２ａが後述する光源４の出射側の面よりも器具側に位置するように形成されている。また、出射側保持突起部２２と器具側保持突起部２３は、カバー２の長手方向に平行な中心軸Ｏ（図３参照）よりも器具側に偏って位置している。なお、カバー２の中心軸Ｏは、照明ランプ１の中心軸でもある。
【００２０】
カバー２において、円筒部２１並びに器具側保持突起部２３と、出射側保持突起部２２とは、それぞれ異なる材料を用いて形成されている。ここで円筒部２１並びに器具側保持突起部２３を形成するために用いられる材料を第１のカバー材料と称し、出射側保持突起部２２を形成するために用いられる材料を第２のカバー材料と称する。なお、円筒部２１並びに器具側保持突起部２３と、出射側保持突起部２２とは異なる材料を用いて形成されているが、円筒部２１と出射側保持突起部２２と器具側保持突起部２３は一体化されている。
【００２１】
第１のカバー材料は、透光性を有する材料である。第１のカバー材料としては、例えばポリカーボネート又はアクリル樹脂等の透光性を有する樹脂を用いることができる。また、実施の形態１では、第１のカバー材料はポリカーボネート等の透光性を有する樹脂を基材として、基材とは屈折率が異なる拡散剤を所定の重量比で混合した高光拡散樹脂材料を用いている。円筒部２１は高光拡散樹脂材料で形成されているため、光を拡散させる光拡散性を有している。なお、円筒部２１は透光性を有する第１のカバー材料から構成されており光源４から出射する光が透過するため、本発明の透光部に該当する。
【００２２】
第２のカバー材料は、第１のカバー材料と比較して反射率が高い材料である。第２のカバー材料としては、例えばポリカーボネート、アクリル樹脂又はポリブチレンテレフタレート等の樹脂を基材として、二酸化チタン等の反射率を向上させる材料を所定の重量比で混合した高反射樹脂材料を用いることができる。
【００２３】
円筒部２１並びに器具側保持突起部２３と、出射側保持突起部２２とがそれぞれ異なる材料を用いて形成されたカバー２は、例えば二色成形によって製造される。ここで二色成形とは、例えば、二種の異なる樹脂組成物を相異なる複数の押出機から溶融して押し出した後に、複数の押出機が接続された１基のダイス内で一体化させ、その後に冷却固化することにより、界面で溶融接合し一体化した二種の樹脂組成物の複合成形体を得る手法を指す。実施の形態１では、円筒部２１並びに器具側保持突起部２３を形成する押出機より第１のカバー材料を溶融して押し出し、出射側保持突起部２２を形成する押出機より第２のカバー材料を溶融して押し出し、１基のダイス内で一体化させた後に、冷却固化することによってカバー２が形成されている。
【００２４】
なお、図３に示すように、実施の形態１では、円筒部２１及び出射側保持突起部２２のそれぞれの厚さＴは等しく、例えば、Ｔ＝１[ｍｍ]である。また、実施の形態１において中心軸Ｏから円筒部２１の内周面までの距離Ｒｉは、Ｒｉ＝１１．７５[ｍｍ]である。さらに、出射側保持突起部２２の出射側平面２２ａから、出射側平面２２ａに対して平行であり中心軸Ｏを通過する平面までの距離Ｈは、Ｈ＝５．４２[ｍｍ]である。ただし、Ｔ，Ｒｉ及びＨの寸法は実施の形態１の寸法に限定されない。
【００２５】
図１及び２に示すように、保持口金７は、カバー２の一方の端部の開口を覆うように取り付けられ絶縁性を有する保持口金筐体７１と、保持口金筐体７１から照明ランプ１の長手方向（矢印Ｘの方向）に立設し導電性を有する保持端子７２と、を備えている。保持端子７２は保持口金筐体７１と一体化されている。保持端子７２は、例えばインサート成形等の方法によって保持口金筐体７１に埋め込まれている。また、保持口金筐体７１にはねじ孔７３が設けられており、ねじ溝が形成されたねじ９の軸部がねじ孔７３に挿通され、後述するヒートシンク６のねじ孔６６にねじ込まれることによって保持口金７は光源モジュール３に固定される。なお、保持口金７はリベットなどねじ以外の固定部材を用いて光源モジュール３に固定されてもよいし、固定部材を用いることなく嵌合、螺合などの方法によって保持口金７が光源モジュール３に固定されても良い。
【００２６】
給電口金８は、カバー２の他方の端部の開口を覆うように取り付けられ絶縁性を有する給電口金筐体８１と、給電口金筐体８１から照明ランプ１の長手方向（矢印Ｘの方向）に立設し導電性を有する給電端子８２と、を備えている。給電端子８２は給電口金筐体８１と一体化されている。給電端子８２は、例えばインサート成形等の方法によって給電口金筐体８１に埋め込まれている。また、給電口金筐体８１にはねじ孔８３（図２２参照）が設けられており、ねじ溝が形成されたねじ９の軸部がねじ孔８３に挿通され、後述するヒートシンク６のねじ孔６６にねじ込まれることによって給電口金８は光源モジュール３に固定されている。なお、保持口金８はリベットなどねじ以外の固定部材を用いて光源モジュール３に固定されてもよいし、固定部材を用いることなく嵌合、螺合などの方法によって保持口金８が光源モジュール３に固定されても良い。
【００２７】
また、保持ソケット１０３は保持端子７２を保持し、給電ソケット１０４は給電端子８２を保持することによって、照明器具１０１は照明ランプ１を保持することができる。また、少なくとも給電ソケット１０４は、給電端子８２を保持すると同時に、給電端子８２と電気的に接続される。
【００２８】
図２及び図３に示すように、光源モジュール３は、光源４と、長尺の平板状であり光源４が実装されている基板５と、カバー２を介して光源４から発生する熱を照明ランプ１外部に放散するヒートシンク６を備えている。光源モジュール３は、光源４より出射される光が出射側へ出射される位置に配置されている。
【００２９】
光源４は、発光面から光を出射する素子であり、基板５の長手方向（矢印Ｘの方向）に沿って平行に複数個配列されている。実施の形態１において、光源４はＬＥＤであり、波長が４４０〜４８０ｎｍの青色光を出射するＬＥＤチップ上に青色光を黄色光に波長変換する蛍光体を配してパッケージ化した疑似白色ＬＥＤが用いられている。なお、光源４の数、配置位置、種類は照明ランプ１の用途に応じて決定されるため、本発明では光源４の数、配置位置、種類は限定されない。例えば、長手方向の長さが基板５の長手方向の長さと略等しい、長尺の有機エレクトロルミネッセンス素子（Ｏｒｇａｎｉｃ  Ｅｌｅｃｔｒｏｌｕｍｉｎｅｓｃｅｎｃｅ；以下有機ＥＬ素子と称する）１つを光源４として用い、有機ＥＬ素子の長手方向と基板５の長手方向が平行になるように配置しても構わない。
【００３０】
また、図３に示すように光源４から出射する光は、発光面に垂直な軸に対して対称に照射角αだけ広がる。実施の形態１ではこの照射角αは１２０度である。
【００３１】
基板５の光源４が実装される実装面には、例えば、ダイオード、コンデンサ、ヒューズ又は抵抗等の電子部品（図示省略）が実装され、さらに、各光源４と各電子部品とを電気的に接続させる配線パターン（図示省略）が設けられている。また、各光源４と各電子部品とは配線パターンを介して給電端子８２と電気的に接続されている。このため、光源４には、給電ソケット１０４と給電端子８２と配線パターンとを介して電源装置から電力が供給され、光源４は点灯する。
【００３２】
基板５の材料には、ガラスエポキシ材料、紙フェノール材料、コンポジット材料、セラミック材料、あるいはアルミニウム等の金属材料が材料コスト、設計仕様などを勘案して選定される。また、基板５の実装面は、基板５の材料の反射率よりも高い反射率を有するレジストが塗布されている。
【００３３】
なお、実施の形態１では、基板５の短手方向（矢印Ｙの方向）の長さ寸法（基板５の幅寸法）は１１[ｍｍ]である。
【００３４】
図６は、実施の形態１に係るヒートシンクの一方の端部（矢印Ｘの基点側）からの斜視図である。図７は、実施の形態１に係るヒートシンクの他方の端部（矢印Ｘの先端側）からの斜視図である。ヒートシンク６は、長尺形状の部材であり、光源設置部６１と、一対の側壁部６２と、一対の出射側支持部６３と、一対の器具側支持部６４と、一対のねじ固定部６５とが一体化されて構成されている。また、光源設置部６１と、側壁部６２と、出射側支持部６３と、器具側支持部６４と、ねじ固定部６５は、ヒートシンク６の長手方向（矢印Ｘの方向）全体に渡って延在するように形成されており、ヒートシンク６を長手方向に垂直に切断した断面の形状は、長手方向の位置によらず常に図３に示すような形状になっている。また、ヒートシンク６の材料として、熱伝導性と剛性が優れ、線熱膨張係数が小さい金属材料が用いられることが望ましく、実施の形態１におけるヒートシンク６はアルミニウムを用いて形成されている。さらに、ヒートシンク６の表面には、ヒートシンク６の素材よりも反射率の高い高反射膜（図示省略）が形成されている。実施の形態１における高反射膜は白色の着色アルマイトの層である。
【００３５】
光源設置部６１は平板形状であり、ヒートシンク６がカバー２の内部に固定された際に出射側に位置する面には、図２及び図３で示すように光源４が出射側を向くように基板５が設置されている。基板５をヒートシンク６に設置する方法としては、接着剤あるいは両面テープ等の接着部材によって接着固定する方法や、基板５とヒートシンク６にねじ孔を設けねじを用いてねじ止めする方法等を採用することができる。
【００３６】
光源設置部６１の出射側に位置する面には、一対の側壁部６２が出射側に向かって立設している。側壁部６２同士の間隔は、少なくとも基板５の短手方向（矢印Ｙの方向）の長さ寸法（基板５の幅寸法）よりも長い。基板５は、光源設置部６１の一対の側壁部６２の間に設置されている。このため、側壁部６２によって基板５を設置する際の位置決めが容易となる。また、光源モジュール３をカバー２の内部に固定した際に、側壁部６２は、出射側保持突起部２２の先端面２２ｃと対向する位置に形成され、また側壁部６２の先端は光源４の出射側の面よりも器具側に位置している。
【００３７】
光源設置部６１の短手方向（矢印Ｙの方向）の両端部には、短手方向の外側に向かって突出した出射側支持部６３と、器具側に向かって立設する器具側支持部６４とがそれぞれ設けられている。また、光源モジュール３をカバー２の内部に固定した際に、出射側支持部６３は出射側保持突起部２２の器具側平面２２ｂと当接する位置に形成され、器具側支持部６４は円筒部２１の内周面に沿い、器具側支持部６４の先端が器具側保持突起部２２と係合する形状に形成されている。さらに、ヒートシンク６の厚み方向（矢印Ｚの方向）において、出射側支持部６３と器具側支持部６４の間には、間隙が形成されている。
【００３８】
光源設置部６１の器具側に位置する面には、一対のねじ固定部６５が器具側へ突出して設けられている。ねじ固定部６５の同士の間には、ねじ孔６６を形成している。保持口金筐体７１に形成されたねじ孔７３又は給電口金筐体８１に形成されたねじ孔に挿入されたねじ９がねじ孔６６に挿入されることにより、光源モジュール３の一部であるヒートシンク６と保持口金７０又は給電口金８０とが固定される。また、ヒートシンク６がカバー２の内部に固定されている状態でヒートシンク６に保持口金７０又は給電口金８０が固定されると、保持口金７０はカバー２の一方の端部を覆うように固定され、給電口金８０はカバー２の他方の端部を覆うように固定される。
【００３９】
また、図２，３で示すようにカバー２の一方の端部に保持口金７が取り付けられ、他方の端部に給電口金８が取り付けられた場合、カバー２の内部にはカバー２と保持口金７と、給電口金８とで囲まれたカバー内空間２４が形成される。さらに、光源モジュール３をカバー２の内部に固定した場合において、カバー内空間２４は光源モジュール３によって４つの空間に分割される。この４つの空間のうち、光源４が面する空間を出射側空間２５と称し、光源４が面していない残りの３つの空間を合わせて器具側空間２６と称する。出射側空間２５は、円筒部２１の内周面と、出射側保持突起部２２の出射側平面２２ａと、光源モジュール３と、保持口金７と、給電口金８と、に囲まれている。
【００４０】
図８は、実施の形態１に係る照明ランプの光の経路を示す断面図である。次に、実施の形態１に係る光源４から出射される光について図８を用いて説明する。図８では光源４から出射される光のうち、円筒部２１と出射側保持突起部２２とでそれぞれ１回ずつ反射されて円筒部２１から出射する光の経路を矢印ａで示す。
【００４１】
まず、光源４から出射される光は出射側空間２５を通過し、円筒部２１の内周面に到達する。円筒部２１は透光性を有する第１のカバー材料で形成されているため、円筒部２１の内周面に到達した光より、円筒部２１を透過しカバー２から照明ランプ１の外へ照射する照射光と、円筒部２１で反射して器具側へ戻される反射光とが生じる。なお、実施の形態１の円筒部２１は高光拡散樹脂材料を用いて形成しているため、照射光と反射光はそれぞれ様々な角度に拡散するが、図８では図示を割愛する。
【００４２】
円筒部２１で反射される反射光の一部は、図８の矢印ａで表すように出射側保持突起部２２の出射側平面２２ａに到達する。出射側保持突起部２２は第１のカバー材料と比較して反射率の高い第２のカバー材料で形成されているため、出射側保持突起部２２の出射側平面２２ａに到達した反射光の多くは、出射側保持突起部２２の出射側平面２２ａで出射側へと反射する。出射側保持突起部２２で出射側に反射した光は再び円筒部２１の内周面に到達し、円筒部２１に到達し、再び前述の出射光と反射光が生じる。
【００４３】
ここで、実施の形態１の照明ランプ１と、出射側保持突起部２２も第１のカバー材料で形成される従来の照明ランプと、を比較すると、第２のカバー材料は第１のカバー材料に比べて反射率が高いため、実施の形態１の照明ランプ１の方が出射側に反射する反射光の光束は増加する。このため、実施の形態１の照明ランプ１は、出射側保持突起部２２で反射してから円筒部２１を透過しカバー２から照明ランプ１の外へ照射する図８の矢印ａの経路を辿るような光の光束が従来の照明ランプに比べて高くなり、光源４から出射された光を効率的に照明ランプ１の照射光として利用でき、照明ランプ１の発光効率を向上させることができる。
【００４４】
また、実施の形態１の照明ランプ１は図８の矢印ａの経路を辿る光のように、円筒部２１と出射側保持突起部２２との反射を利用して、光源４の照射角αの範囲外から光源４の光を照射することができ、照明ランプ１の照射角を光源４の照射角αよりも広げることができる。さらに、実施の形態１の照明ランプ１の出射側保持突起部２２は第１のカバー材料に比べて反射率が高い第２のカバー材料で形成されているため、出射側保持突起部２２が第１のカバー材料で形成されている場合と比べ、反射による光束の減少量が少なくなり、光源４の照射角αの範囲外から照射する光の光束の減少を抑えることができる。
【００４５】
また、実施の形態１の照明ランプ１では、照明ランプ１の外周は第１のカバー材料で一様に形成されている。このため、実施の形態１の照明ランプ１は、従来の照明ランプと略同様の外見であるため、使用者に違和感を生じさせにくい外見になっている。また、図８の矢印ｂのように出射側保持突起部２２の基部近傍を通過する経路を取る光は、出射側保持突起部２２で反射せず器具側へと透過してカバー２から照射される。このため、出射側保持突起部２２の基部近傍を通過する経路を取る光が出射側保持突起部２２で反射することによって光束が減少することを防止し、照明ランプ１の発光効率を向上させることができる。また、出射側保持突起部２２の基部近傍を通過する経路を取る光は器具側へ照射されるため、照明ランプ１の照射角を更に広げることができる。
【００４６】
また、実施の形態１の出射側保持突起部２２を形成する第２のカバー材料は第１のカバー材料のように透光性を備える必要が無いため、反射率を向上させる材料以外にも他の物性を向上させるような材料を混合しても構わない。例えば、ガラスフィラー等の高剛性化材料を混合し、カバー２の剛性を向上させても良い
【００４７】
なお、カバー２及びヒートシンク６の形状は実施の形態１のものだけに限らず、出射側保持突起部２２が第２のカバー材料で形成されており、出射側保持突起部２２の光源４が光を出射させる側の面、つまり出射側平面２２ａが出射側空間２５内に面していれば良い。このようなカバー２及びヒートシンク６の形状の例として、実施の形態１の第１から９の変形例でそれぞれ説明する。実施の形態１の第１から９の変形例において、それぞれカバー２及びヒートシンク６の形状が相違する。なお、その他の構成については実施の形態１と略同様であるため、説明を割愛する。
【００４８】
実施の形態１の第１の変形例．
図９は、実施の形態１の第１の変形例に係る照明ランプの断面図である。実施の形態１の第１の変形例の照明ランプ１ａは、実施の形態１の照明ランプ１と比べて、実施の形態１の第１の変形例のヒートシンク６ａには出射側支持部６３と器具側支持部６４との間の間隙が無くなり、出射側支持部６３及び器具側支持部６４と同様の役割を果たす支持部６７が形成されている点が異なっている。なお、実施の形態１の第１の変形例のカバー２ａの形状については実施の形態１のカバー２と略同様である。
【００４９】
実施の形態１の第１の変形例のヒートシンク６ａは、出射側支持部６３と器具側支持部６４との間の間隙が無くなり支持部６７が形成されているため、実施の形態１のヒートシンク６に比べて簡素な形状であり、ヒートシンク６よりも成形性の向上が見込める。また、出射側支持部６３と器具側支持部６４との間の間隙が無くなることによって、実施の形態１の第１の変形例のヒートシンク６ａの断面積は、実施の形態１のヒートシンク６の断面積よりも広く、ヒートシンクの剛性が向上し、実施の形態１の第１の変形例の照明ランプ１ａは反り及びたわみが生じ難くなる。また、ヒートシンクの断面積が大きいほどヒートシンクの熱容量も多くなるため、実施の形態１の第１の変形例のヒートシンク６ａは実施の形態１のヒートシンク６よりも光源４から奪う熱量が多く、光源４の信頼性が向上する。
【００５０】
実施の形態１の第２の変形例．
図１０は、実施の形態１の第２の変形例に係る照明ランプの断面図である。実施の形態１の第２の変形例の照明ランプ１ｂは、実施の形態１の第１の変形例の照明ランプ１ａと比べて、実施の形態１の第２の変形例のヒートシンク６ｂの支持部６７の厚さ方向（矢印Ｙの方向）の寸法が小さくなっている点が異なっている。すなわち、ヒートシンク６ｂの支持部６７は、ヒートシンク６ａの支持部６７よりも薄い。なお、実施の形態１の第２の変形例のカバー２ｂの形状については実施の形態１のカバー２と略同様である。
【００５１】
実施の形態１の第２の変形例のヒートシンク６ｂは、実施の形態１の第１の変形例と同じく、実施の形態１のヒートシンク６に比べて簡素な形状であり、ヒートシンク６よりも成形性の向上が見込める。また、実施の形態１の第２の変形例のヒートシンク６ｂは、実施の形態１の第１の変形例のヒートシンク６ａに比べて断面積が小さい。つまり、ヒートシンク６ｂはヒートシンク６ａに比べて重量が軽くなるため、照明ランプ１ｂを軽くすることができる。
【００５２】
実施の形態１の第３の変形例．
図１１は、実施の形態１の第３の変形例に係る照明ランプの断面図である。実施の形態１の第３の変形例の照明ランプ１ｃは、実施の形態１の照明ランプ１と比べて、実施の形態１の第３の変形例のカバー２ｃでは、光源モジュール３をカバー２ｃの内部に固定した際に、出射側保持突起部２２の器具側平面２２ｂと器具側支持部６４とが当接する位置にカバー２ｃの出射側保持突起部２２が形成されている点が異なっている。なお、実施の形態１の第３の変形例のヒートシンク６ｃの形状については実施の形態１のヒートシンク６と略同様である。
【００５３】
実施の形態１の第３の変形例における出射側保持突起部２２の出射側平面２２ａから、出射側平面２２ａに対して平行であり中心軸Ｏを通過する平面までの距離Ｈａは、実施の形態１における当該距離Ｈと比べて長い。
【００５４】
実施の形態１の第３の変形例のカバー２ｃは、実施の形態１のカバー２に比べて、出射側保持突起部２２が更に器具側に寄って形成されているため、出射側保持突起部２２の突出量が小さくなっている。このため、実施の形態１の第３の変形例のカバー２ｃは、実施の形態１のカバー２に比べて、出射側保持突起部２２を形成するための第２のカバー材料の使用量が低減できる。また、出射側保持突起部２２が更に器具側に寄って形成されることによって、照明ランプ１ｃは光の照射角を大きくすることができる。
【００５５】
実施の形態１の第４の変形例．
図１２は、実施の形態１の第４の変形例に係る照明ランプの断面図である。実施の形態１の第４の変形例の照明ランプ１ｄは、実施の形態１の第３の変形例の照明ランプ１ｃと比べて、実施の形態１の第４の変形例のヒートシンク６ｄには出射側支持部６３が形成されていない点が異なる。なお、実施の形態１の第４の変形例のカバー２ｄの形状については実施の形態１の第３の変形例のカバー２ｃと略同様である。
【００５６】
実施の形態１の第４の変形例のヒートシンク６ｄには出射側支持部６３が形成されていないため、実施の形態１の第３の変形例に比べて、出射側保持突起部２２の出射側平面２２ａの出射側空間２５に面する面積が広くなり、より顕著に本発明の照明ランプの発光効率を向上する効果を奏することができる。
【００５７】
実施の形態１の第５の変形例．
図１３は、実施の形態１の第５の変形例に係る照明ランプの断面図である。実施の形態１の第５の変形例の照明ランプ１ｅは、実施の形態１の照明ランプ１に比べて、実施の形態１の第５の変形例のヒートシンク６ｅは小型化され、実施の形態１の第５の変形例のカバー２ｅの出射側保持突起部２２が器具側に寄った位置に形成され、器具側保持突起部２３が形成されていない点が異なる。
【００５８】
実施の形態１の第５の変形例における出射側保持突起部２２の出射側平面２２ａから、出射側平面２２ａに対して平行であり中心軸Ｏを通過する平面までの距離Ｈｂは、実施の形態１における当該距離Ｈと比べて長い。
【００５９】
図１４は、実施の形態１の第５の変形例に係るヒートシンクの一方の端部（矢印Ｘの基点側）からの斜視図である。図１５は、実施の形態１の第５の変形例に係るヒートシンクの他方の端部（矢印Ｘの先端側）からの斜視図である。実施の形態１の第５の変形例に係るヒートシンク６ｅも、実施の形態１のヒートシンク６と同じく、光源設置部６１と、一対の側壁部６２と、一対の出射側支持部６３と、一対の器具側支持部６４と、一対のねじ固定部６５とが一体化されて、ヒートシンク６ｅの長手方向（矢印Ｘの方向）全体に渡って延在するように形成されている。
【００６０】
光源設置部６１は、実施の形態１と同じく、平板状であり、出射側に位置する面には光源４が出射側を向くように基板５が設置されている。また、光源設置部６１の出射側に位置する面には、一対の側壁部６２が出射側に向かって立設している。さらに、光源設置部６１の短手方向（矢印Ｙの方向）の両端部には、短手方向に対して平行に突出した出射側支持部６３が設けられており、光源モジュール３をカバー２ｅの内部に固定した際に、出射側支持部６３は出射側保持突起部２２の器具側平面２２ｂと当接する位置に形成されている。
【００６１】
光源設置部６１の短手方向の両端部には、更に器具側に向かって立設する器具側支持部６４が設けられており、器具側支持部６４の先端は円筒部２１の内周面に沿う形状に形成されている。また、光源設置部６１の器具側に位置する面には、一対のねじ固定部６５が器具側へ突出して設けられており、ねじ固定部６５の先端も円筒部２１の内周面に沿う形状に形成されている。ねじ固定部６５同士の間には、ねじ孔６６が形成されている。さらに、ヒートシンク６の厚み方向（矢印Ｚの方向）において、出射側支持部６３と器具側支持部６４の間には、間隙が形成されている。また、ヒートシンク６の短手方向（矢印Ｙの方向）において、器具側支持部６５とねじ固定部６５との間にも、間隙が形成されている。
【００６２】
また、実施の形態１の第５の変形例において、基板５の短手方向（矢印Ｙの方向）の長さ寸法（基板５の幅寸法）は、８．５[ｍｍ]である。
【００６３】
実施の形態１の第５の変形例のように、ヒートシンクを小型化することによって、光源４を、実施の形態１に比べてカバー２の中心軸Ｏより更に器具側に寄せて配置させることができ、光源４から出射された光がカバーで反射せずに照明ランプ１ｅの外へ照射される範囲が広くなる。実施の形態１の光源モジュール３のように複数の光源４が配列された光源モジュールでは、点灯時に光源４が配置された領域と光源４が配置されない領域との間には、輝度の差が発生する。この輝度の差は、使用者が目視などで外見を確認した時に複数並ぶ光源４が個々に独立して認識できてしまい、違和感を生じさせる。しかし、実施の形態１の第５の変形例のように光源４から出射された光が直接照射される範囲が広くなることにより、光源４が配置された領域と光源４が配置されない領域との間の輝度の差を抑制することができ、使用者の違和感を低減させることができる。
【００６４】
実施の形態１の第６の変形例．
図１６は、実施の形態１の第６の変形例に係る照明ランプの断面図である。実施の形態１の第６の変形例の照明ランプ１ｆは、実施の形態１の第５の変形例の照明ランプ１ｅと比べて、実施の形態１の第６の変形例のヒートシンク６ｆの出射側支持部６３と器具側支持部６４との間の間隙が無くなり、出射側支持部６３及び器具側支持部６４と同様の役割を果たす支持部６７が形成されている点が異なっている。なお、実施の形態１の第６の変形例のカバー２ｆの形状については実施の形態１の第５の変形例のカバー２ｅと略同様である。
【００６５】
実施の形態１の第６の変形例のヒートシンク６ｆは、出射側支持部６３と器具側支持部６４との間の間隙が無くなり支持部６７が形成されているため、実施の形態１の第５の変形例のヒートシンク６ｅに比べて簡素な形状であり、成形性の向上が見込める。また、出射側支持部６３と器具側支持部６４との間の間隙が無くなることによって、実施の形態１の第６の変形例のヒートシンク６ｆの断面積は、実施の形態１の第５の変形例の器具側支持部よりも大きくなる。このため、ヒートシンクの剛性が向上すると同時に熱容量も大きくなるため、実施の形態１の第１の変形例と同様の理由により、実施の形態１の第６の変形例の照明ランプ１ｆは反り、たわみが生じ難くなり、光源４の実装品質（信頼性）が向上する。
【００６６】
実施の形態１の第７の変形例．
図１７は、実施の形態１の第７の変形例に係る照明ランプの断面図である。実施の形態１の第７の変形例の照明ランプ１ｇは、実施の形態１の第５の変形例の照明ランプ１ｅと比べて、実施の形態１の第７の変形例のヒートシンク６ｇには器具側支持部６４とねじ固定部６５との間の間隙が無くなり、ねじ固定部６５に相当する部位が器具側支持部６４の一部になっている点が異なっている。なお、実施の形態１の第７の変形例のカバー２ｇの形状については実施の形態１の第５の変形例のカバー２ｅと略同様である。
【００６７】
実施の形態１の第７の変形例のヒートシンク６ｇは、器具側支持部６４とねじ固定部６５との間の間隙が無くなっているため、実施の形態１の第５の変形例のヒートシンク６ｅに比べて簡素な形状であり、成形性の向上が見込める。また、出射側支持部６４と器具側支持部６５との間の間隙が無くなることによって、実施の形態１の第６の変形例のヒートシンク６ｆの断面積は、実施の形態１の第５の変形例のヒートシンク６ｅの断面積よりも大きくなる。このため、ヒートシンクの剛性が向上すると同時に熱容量も大きくなるため、実施の形態１の第１の変形例と同様の理由により、実施の形態１の第７の変形例の照明ランプ１ｇは反り、たわみが生じ難くなり、光源４の実装品質（信頼性）が向上する。さらに、実施の形態１の第７の変形例のヒートシンク６ｇのカバー２ｇの内周面との接触面積は、実施の形態１の第５の変形例のヒートシンク６ｅのカバー２ｅの内周面との接触面積よりも広いため、ヒートシンク６ｇからカバー２ｇへの熱伝導性が向上し、照明ランプ１ｇの放熱性能が向上している。
【００６８】
実施の形態１の第８の変形例．
図１８は、実施の形態１の第８の変形例に係る照明ランプの断面図である。実施の形態１の第８の変形例の照明ランプ１ｈは、実施の形態１の第５の変形例の照明ランプ１ｅと比べて、実施の形態１の第８の変形例のヒートシンク６ｈには、出射側支持部６３と器具側支持部６４との間の間隙と、器具側支持部６４とねじ固定部６５との間の間隙とが無くなり、出射側支持部６３、器具側支持部６４並びにねじ固定部６５と同様の役割を果たす支持部６７が形成されている点が異なっている。なお、実施の形態１の第８の変形例のカバー２ｈの形状については実施の形態１の第５の変形例のカバー２ｅと略同様である。
【００６９】
実施の形態１の第８の変形例のヒートシンク６ｇは、出射側支持部６３と器具側支持部６４との間の間隙と、器具側支持部６４とねじ固定部６５との間の間隙とが無くなっているため、実施の形態１の第６の変形例の照明ランプ１ｆ及び実施の形態１の第７の変形例の照明ランプ１ｇと同様の効果を得ることができる。
【００７０】
実施の形態１の第９の変形例．
図１９は、実施の形態１の第９の変形例に係る照明ランプの断面図である。実施の形態１の第９の変形例の照明ランプ１ｉは、実施の形態１の第５の変形例の照明ランプ１ｅと比べて、実施の形態１の第９の変形例のヒートシンク６ｉには、器具側支持部６４が形成されていない点が異なっている。なお、実施の形態１の第９の変形例のカバー２ｉの形状については実施の形態１の第５の変形例のカバー２ｅと略同様である。
【００７１】
実施の形態１の第９の変形例のヒートシンク６ｉは、器具側支持部６４が形成されていないため、ヒートシンクが軽くなり、照明ランプ１ｉを軽くすることができる。
【００７２】
実施の形態２．
図２０は、実施の形態２に係る照明ランプの斜視図である。図２１は、実施の形態２に係る照明ランプの図２０のＢ−Ｂ断面を示す断面図である。図２２は、実施の形態２に係る照明ランプの側面図である。なお、図２０ではカバー２ｊの内部の説明のため、カバー２ｊの一部を省略している。実施の形態１の照明ランプ１では、円筒部２１は全て第１のカバー材料で形成されていたが、実施の形態２の照明ランプ１ｊでは、カバー２ｊの円筒部２１の一部が第２のカバー材料で構成されている。なお、実施の形態２において、カバー２ｊ以外の構成はそれぞれ実施の形態１と略同様であるため、説明を割愛する。
【００７３】
実施の形態２におけるカバー２ｊの円筒部２１は、一対の出射側保持突起部２２と、出射側保持突起部２２より出射側に位置する出射側透光部２１ａと、出射側保持突起部２２より器具側に位置する器具側透光部２１ｂとが一体化されて円筒状に形成されている。出射側保持突起部２２のうち円筒部２１の外周面に露出する端面を露出側端面２２ｄとする。また、出射側保持突起部２２の露出側端面２２ｄと反対側の面、つまり先端面２２ｃ側は円筒部２１の内側へ突出している。さらに、一対の器具側保持突起部２３は器具側透光部２１ｂと一体化しており、器具側透光部２１ｂの内周面より突出している。出射側保持突起部２２と器具側保持突起部２３はカバー２ｊの長手方向（矢印Ｘの方向）に平行な中心軸Ｏよりも器具側に位置している。また、出射側保持突起部２２と、器具側保持突起部２３は、カバー２ｊの長手方向全体に渡って延在するように形成されており、カバー２ｊを長手方向に対して垂直に切断した断面の形状は、長手方向の位置によらず常に図２１に示すような断面形状になっている。
【００７４】
出射側透光部２１ａと、器具側透光部２１ｂと、器具側保持突起部２３は、実施の形態１で説明した第１のカバー材料を用いて形成されている。また、出射側保持突起部２２は、実施の形態１で説明した第２のカバー材料を用いて形成されている。このため、実施の形態２のカバー２ｊの円筒部２１の外周のうち、出射側保持突起部２２の露出側端面２２ｄは第２のカバー材料を用いて形成されており、照明ランプ１の外周には第２のカバー材料で構成された面がある。なお、少なくとも、出射側透光部２１ａは透光性を有する第１のカバー材料から構成されており、本発明の透光部に該当する。
【００７５】
実施の形態２におけるカバー２ｊは、実施の形態１と同様に、例えば二色成形によって製造される。実施の形態２では、出射側透光部２１ａと器具側透光部２１ｂと器具側保持突起部２３を形成する押出機より第１のカバー材料を溶融して押し出し、出射側保持突起部２２を形成する押出機より第２のカバー材料を溶融して押し出し、１基のダイス内で一体化させた後に、冷却固化することによって形成されている。
【００７６】
光源モジュール３は、カバー２ｊの内部に固定された際に、出射側支持部６３が出射側保持突起部２２の器具側平面２２ｂと当接し、器具側支持部６４が器具側透光部２１ｂに沿い、器具側支持部６４の先端が器具側保持突起部２３と係合する位置に固定される。
【００７７】
実施の形態２の照明ランプ１ｊでは、円筒部２１の出射側透光部２１ａは透光性を有しており、出射側保持突起部２２は第１のカバー材料よりも反射率が高い第２のカバー材料で形成されている。このため、実施の形態１の照明ランプ１と同様の理由により、実施の形態２の照明ランプ１ｊは、光源から出射された光を効率的に照明ランプ１ｊの照射光として利用でき、照明ランプ１ｊの発光効率を従来の照明ランプよりも向上させることができる。
【００７８】
さらに、実施の形態２の照明ランプ１ｊは、出射側保持突起部２２はカバー２ｊの中心軸Ｏよりも器具側に位置しており、照明ランプ１ｊの外周に露出している第２のカバー材料で形成された出射側保持突起部２２の露出側端面２２ｄもカバー２ｊの中心軸Ｏよりも器具側に位置している。また、第２のカバー材料は第１のカバー材料よりも反射率が高く外見が異なるため、照明ランプ１ｊの外周に露出している出射側保持突起部２２の露出側端面２２ｄが照明ランプ１ｊを照明器具１０１に取り付ける際の照明ランプ１ｊの向きを指定する目印となり、使用者は当該目印を活用して照明器具１０１に照明ランプ１ｊを容易に取り付けることができる。
【００７９】
実施の形態３．
図２３は、実施の形態３に係る照明ランプの斜視図である。図２４は、実施の形態３に係る照明ランプの図２３のＣ−Ｃ断面を示す断面図である。図２５は、実施の形態３に係る照明ランプの側面図である。なお、図２３ではカバー２ｋの内部の説明のため、カバー２ｋの一部を省略している。実施の形態２の照明ランプ１ｊでは、器具側透光部２１ｂは第１のカバー材料で形成されていたが、実施の形態３の照明ランプ１ｋでは器具側透光部２１ｂに相当する器具側反射部２７が第２のカバー材料で構成されている。なお、実施の形態３において、カバー２ｋ以外の構成はそれぞれ実施の形態１と略同様であるため、説明を割愛する。
【００８０】
実施の形態３のカバー２ｋは、出射側透光部２１ａと、器具側反射部２７とによって略筒状に形成されている。また、器具側反射部２７のうち、出射側透光部２１ａと接する２箇所には器具側反射部２７の内周面からそれぞれ出射側保持突起部２２が突出し、出射側保持突起部２２よりも器具側に位置する箇所からは器具側反射部２７の内周面から一対の器具側保持突起部２３が突出している。また、出射側保持突起部２２と、器具側保持突起部２３は、カバー２ｋの長手方向（矢印Ｘの方向）全体に渡って延在するように形成されており、カバー２ｋを長手方向に対して垂直に切断した断面の形状は、長手方向の位置によらず常に図２３に示すような形状になっている。
【００８１】
出射側透光部２１ａは、実施の形態１で説明した第１のカバー材料を用いて形成されている。また、器具側反射部２７と、出射側保持突起部２２と、器具側保持突起部２３とは、実施の形態１で説明した第２のカバー材料を用いて形成されている。このため、実施の形態３の照明ランプ１ｋでは、カバー２ｋの外周に第２のカバー材料で形成された面が露出している。なお、少なくとも、出射側透光部２１ａは透光性を有する第１のカバー材料から構成されているため、本発明の透光部に該当する。
【００８２】
実施の形態３のカバー２ｋも、実施の形態１と同様に、例えば二色成形によって製造される。実施の形態３では、出射側透光部２１ａを形成する押出機より第１のカバー材料を溶融して押し出し、器具側反射部２７と出射側保持突起部２２と器具側保持突起部２３とを形成する押出機より第２のカバー材料を溶融して押し出し、１基のダイス内で一体化させた後に、冷却固化することによって形成している。
【００８３】
光源モジュール３は、カバー２ｋの内部に固定された際に、出射側支持部６３が出射側保持突起部２２の器具側平面２２ｂと当接し、器具側支持部６４が器具側反射部２７に沿い、器具側支持部６４の先端が器具側保持突起部２３と係合する位置に固定される。
【００８４】
実施の形態３の照明ランプ１ｋは、出射側透光部２１ａは透光性を有しており、出射側保持突起部２２は第１のカバー材料よりも反射率が高い第２のカバー材料で形成されている。このため、実施の形態１の照明ランプ１と同様の理由により、実施の形態３の照明ランプ１ｋは、光源から出射された光を効率的に照明ランプ１ｋの照射光として利用でき、照明ランプ１ｋの発光効率を従来の照明ランプよりも向上させることができる。
【００８５】
また、実施の形態３の照明ランプ１ｋは器具側反射部２７が第２のカバー材料で形成されているため、出射側透光部２１ａと器具側反射部２７との外見が異なり、器具側反射部２７が照明ランプ１ｋを照明器具１０１に取り付ける際の照明ランプ１ｋの向きを指定する目印となり、使用者が当該目印を活用して照明器具１０１に照明ランプ１ｋを容易に取り付けることができる。
【００８６】
さらに、器具側反射部２７と出射側保持突起部２２と器具側保持突起部２３とを形成する第２のカバー材料は透光性を備える必要が無いため、反射率を向上させる材料以外にも他の物性を向上させるような材料を混合しても良い。特に熱伝導性フィラー等の熱伝導率を向上させる材料を混合し、器具側反射部２７の熱伝導率を向上させることによって、ヒートシンク６からカバー２ｋへの熱伝導性が向上し、照明ランプの放熱性能が向上する。
【００８７】
また、第２のカバー材料が透光性を備えない場合では、器具側反射部２７の外周部に製品を識別する文字や図形等を表示してもよい。器具側反射部２７が透光性を備えない第２のカバー材料で形成されている場合では、器具側反射部２７が透光性を有する場合よりも、外周部に表示した文字や図形の視認性が向上する効果を奏する。
【００８８】
実施の形態４．
図２６は、実施の形態４に係る照明ランプの断面図である。図２７は、実施の形態４に係る照明ランプの側面図である。図２８は、実施の形態４に係るカバーの一方の端部（矢印Ｘの基点側）からの斜視図である。図２９は、実施の形態４に係るカバーの他方の端部（矢印Ｘの先端側）からの斜視図である。実施の形態１の照明ランプ１の出射側保持突起部２２の出射側平面２２ａと器具側平面２２ｂは略平行であったが、実施の形態４の照明ランプ１ｌの出射側保持突起部２２はカバー２ｌの内周面に近づくにつれて出射側保持突起部２２の厚みが増加するように出射側平面２２ａが器具側平面２２ｂに対して傾斜している。なお、出射側保持突起部２２以外の構成はそれぞれ実施の形態１と略同様であるため、説明を割愛する。
【００８９】
実施の形態４の出射側保持突起部２２は、出射側平面２２ａが器具側平面２２ｂに対して角度θ傾斜し、先端面２２ｃに向かうほど出射側保持突起部２２の厚みが薄くなるように形成されている。また、出射側保持突起部２２の先端面２２ｃと出射側平面２２ａとで形成される角部は、カバー２の内部に光源モジュール３を固定した際に、後述する光源４の出射側の面よりも器具側に位置するように形成されている。さらに、実施の形態４では角度θは約１５度である。また、出射側保持突起部２２と器具側保持突起部２３は、カバー２ｌの長手方向（矢印Ｘの方向）全体に渡って延在するように形成されており、カバー２ｌを長手方向に対して垂直に切断した断面の形状は、長手方向の位置によらず常に図２３に示すような形状になっている。
【００９０】
実施の形態４の照明ランプ１ｌの出射側保持突起部２２は第１のカバー材料よりも反射率が高い第２のカバー材料で形成されている。このため、実施の形態１の照明ランプ１と同様の理由により、実施の形態４の照明ランプ１ｌは、光源から出射された光を効率的に照明ランプ１ｌの照射光として利用でき、照明ランプ１ｌの発光効率を従来の照明ランプよりも向上させることができる。
【００９１】
また、実施の形態１で示したように光源４より出射する光は、発光面に垂直な軸に対して対称に照射角αだけ広がるため、照明ランプ１から照射される光のうち光源４の照射角αの範囲外から照射される光は、基板５、ヒートシンク６、円筒部２１又は出射側保持突起部２２で反射された反射光である。また、一般的な物体の反射率は必ず１未満であるため、光は反射するたびにその光束が減少する。さらに、照射角αの範囲から遠ざかるほど照射光に含まれる反射回数が多い光の割合が増える。このため、照射角αの範囲から出射側保持突起部２２の出射側平面２２ａまでの区間βでは、出射側保持突起部２２に近づくほど照射する光束の量が減少し、照射角αの範囲から照射する光束との差も広がる。この際に、区間β内の任意の箇所の光束と照射角αの範囲から照射する光束との差がある程度以上に広がってしまうと、使用者は当該箇所を薄暗いと感じ、照明ランプ１の明るさにむらがあると感じてしまう。特に照明ランプ１では、出射側保持突起部２２とヒートシンク６によって光が照射されない箇所があるため、薄暗いと感じる箇所がより目立ってしまう。
【００９２】
しかしながら、実施の形態４の照明ランプ１ｌは、出射側保持突起部２２が先端面２２ｃに向かうほど出射側保持突起部２２の厚みが薄くなるように形成されているため、実施の形態１の照明ランプ１のように出射側保持突起部２２の厚みが均一な場合に比べて、区間βを狭くすることができ、使用者が薄暗いと感じる箇所を無くし、使用者が明るさにむらがあると感じてしまうことを防ぐことができる。
【００９３】
また、実施の形態４の照明ランプ１ｌは、実施の形態１の照明ランプ１に比べて、出射側保持突起部２２と円筒部２１の内周面とが接している面積が広いため、保持突起部２２の強度が増す。
【００９４】
なお、実施の形態４では、角度θは約１５度に設定しているが、使用者が薄暗いと感じる箇所は光源モジュール３の出射側空間２５に面する面の形状や使用者の感覚に依存するため、角度θは１５度に限らず任意の角度でよい。ただし、前述の通り光源４の照射角αの範囲外のみに使用者が薄暗いと感じる領域は形成され、出射側保持突起部２２が光源４の照射角αの範囲内に入ってしまうと照明ランプ１ｌの照射角が光源４の照射角よりも小さくなってしまうため、角度θは出射側保持突起部２２が照射角αの範囲内に入ってしまうような角度には設定しない方が望ましい。具体的には、角度θはθ＝９０−（α／２）度以下に設定されることが望ましく、例えば照射角αが１２０度の場合には、角度θは３０度以下に設定されることが望ましい。
【００９５】
図３０は、実施の形態４の第１の変形例に係る照明ランプの断面図である。また、実施の形態４の第１の変形例の照明ランプ１ｍのように、実施の形態４のカバー２ｌの出射側保持突起部２２を器具側に寄った位置に形成し、器具側保持突起部２３を形成していないカバー２ｍと、実施の形態１の第５の変形例のヒートシンク６ｅと同様の形状のヒートシンク６ｍを用いても構わない。なお、実施の形態４の第２の変形例において、カバー２ｍ及びカバー６ｍ以外の構成については、実施の形態１と略同様であるため説明を割愛する。
【００９６】
図３１は、実施の形態４の第２の変形例に係る照明ランプの断面図である。図３２は、実施の形態４の第２の変形例に係るカバーの一方の端部（矢印Ｘの基点側）からの斜視図である。図３３は、実施の形態４の第２の変形例に係るカバーの他方の端部（矢印Ｘの先端側）からの斜視図である。さらに、実施の形態４の第２の変形例の照明ランプ１ｎのように、第２出射側保持突起部２８を円筒部２１の内周面より立設させても構わない。なお、実施の形態４の第２の変形例のヒートシンク６ｎは、実施の形態１の第５の変形例のヒートシンク６ｅと同様の形状であり、カバー２ｎ以外の構成については実施の形態４の第１の変形例と同様であるため説明を割愛する。
【００９７】
第２出射側保持突起部２８は、出射側保持突起部２２よりも器具側の位置から円筒部２１の内周面より突出している。また、第２出射側保持突起部２８の出射側の面と器具側平面は略平行である。さらに、第２出射側保持突起部２８は第１のカバー材料で形成されている。
【００９８】
ヒートシンク６ｎをカバー２ｎの内部に固定した際に、第２出射側保持突起部２８は出射側支持部６３と器具側支持部６４の間の間隙に位置し、第２出射側保持突起部２８の出射側の面は出射側支持部６３と、器具側平面は器具側支持部６４とそれぞれ当接する。このため、カバーとヒートシンクの係合がより強固になる。
【００９９】
実施の形態５．
図３４は、実施の形態５に係る照明ランプの断面図である。実施の形態１の照明ランプ１のカバー２は円筒形であり、ヒートシンク６はカバー２の内部に収納されていたが、実施の形態５の照明ランプ１ｏは、カバー２ｏの器具側には開口が形成されており、ヒートシンク６ｏの一部がカバー２ｏの外部に露出している。なお、カバー２ｏ及びヒートシンク６ｏ以外の構成はそれぞれ実施の形態１と略同様であるため説明を割愛する。
【０１００】
カバー２ｏは、器具側に開口が形成され光源モジュール３の出射側を円弧形状の円弧部２９と、円弧部２９の内周面から突出する一対の出射側保持突起部２２と、円弧部２９の両端部から出射側保持突起部２２と平行に延びる一対の第２出射側保持突起部２８とから構成されている。円弧部２９と、一対の出射側保持突起部２２と、一対の第２出射側保持突起部２８とが一体化されて、カバー２ｏの長手方向（矢印Ｘの方向）全体に渡って延在するように形成されている。
【０１０１】
円弧部２９と第２出射側保持突起部２８とは、実施の形態１で説明した第１のカバー材料で形成されている。また、出射側保持突起部２２は実施の形態１で説明した第２のカバー材料で形成されている。実施の形態５のカバー２ｏも、実施の形態１と同様に、例えば二色成形によって製造され、円弧部２９と第２出射側保持突起部２８とを形成する押出機より第１のカバー材料を溶融して押し出し、出射側保持突起部２２を形成する押出機より第２のカバー材料を溶融して押し出し、１基のダイス内で一体化させた後に、冷却固化させて形成している。なお、少なくとも、円弧部２９は透光性を有する第１のカバー材料から構成されているため、本発明の透光部に該当する。
【０１０２】
ヒートシンク６ｏは、器具側支持部６４以外は、実施の形態１のヒートシンク６と略同様の形状である。器具側支持部６４は円弧形状であり、一対の出射側支持部６３とのそれぞれの間に間隙が形成されている。光源設置部６１と、一対の側壁部６２と、一対の出射側支持部６３と、器具側支持部６４と、一対のねじ固定部６５とが一体化されて、ヒートシンク６の長手方向（矢印Ｘの方向）全体に渡って延在するように形成されている。
【０１０３】
光源モジュール３をカバー２ｏの内部に固定した際に、ヒートシンク６ｏの器具側支持部６４はカバー２ｏの器具側の開口を覆うように固定され、照明ランプ１ｏの外周に露出している。また、カバー２ｏの出射側保持突起部２２の器具側平面２２ｂは出射側支持部６３と当接する。さらに、第２出射側保持突起部２８は出射側支持部６３と器具側支持部６４の間の間隙に位置し、第２出射側保持突起部２８の出射側の面は出射側支持部６３と当接し、器具側平面は器具側支持部６４と当接する。
【０１０４】
実施の形態５の照明ランプ１ｏの出射側保持突起部２２は第１のカバー材料よりも反射率が高い第２のカバー材料で形成されている。このため、実施の形態１の照明ランプ１と同様の理由により、実施の形態５の照明ランプ１ｏは、光源から出射された光を効率的に照明ランプ１ｏの照射光として利用でき、照明ランプ１ｏの発光効率を従来の照明ランプよりも向上させることができる。
【０１０５】
また、実施の形態５の照明ランプ１ｏはヒートシンク６ｏが照明ランプ１ｏの外周に露出しているため、ヒートシンク６ｏから直接照明ランプ１ｏの外部に放熱することができるため、照明ランプの放熱性能が向上する。
【０１０６】
実施の形態６．
図３５は、実施の形態６に係る照明ランプの断面図である。実施の形態１の照明ランプ１のカバー２の出射側保持突起部２２は第２のカバー材料で形成されていたが、実施の形態６の照明ランプ１ｐのカバー２ｐの出射側保持突起部２２は第１のカバー材料で形成されており、出射側保持突起部２２の出射側平面２２ａと先端面２２ｃには、高反射層２２ｅが形成されている。なお、出射側保持突起部２２以外の構成はそれぞれ実施の形態１と略同様であるため説明を割愛する。
【０１０７】
高反射層２２ｅは、第１のカバー材料よりも反射率の高い物質で形成されている。高反射層２２ｅの形成方法としては、例えばシート状に形成された高反射部材を敷設する方法や高反射率の溶融樹脂を塗布して乾燥固化させる方法などを用いることができる。
【０１０８】
実施の形態６の照明ランプ１ｐの出射側保持突起部２２の出射側平面２２ａには第１のカバー材料よりも反射率が高い高反射層２２ｅが形成されている。このため、実施の形態１の照明ランプ１と同様の理由により、実施の形態６の照明ランプ１ｐは、光源から出射された光を効率的に照明ランプ１ｐの照射光として利用でき、照明ランプ１ｐの発光効率を従来の照明ランプよりも向上させることができる。
【０１０９】
また、実施の形態６の出射側保持突起部２２は第１のカバー材料で構成されている。このため、カバー２ｐは従来のカバーの出射側保持突起部２２の出射側平面２２ａと先端面２２ｃに高反射層２２ｅを形成するだけで作成することができ、従来のカバーを製造する設備を利用して製造することができる。
【０１１０】
上記の実施の形態および変形例では、口金の形状がＪＥＬ８０１に基づく直管ランプについて説明したが、例えば、口金の形状がＪＥＬ８０２に基づく直管ランプ、その他の直管ＬＥＤでも、本実施の形態を適用することができる。また、その他の形状の口金であっても本実施の形態を適用することができる。
【０１１１】
以上、実施の形態および変形例を説明したが、これらの実施の形態および変形例のうち、２以上を組み合わせて実施してもよい。あるいは、これらの実施の形態および変形例のうち、１つを部分的に実施してもよい。或いは、これらの実施の形態および変形例のうち、２つ以上を部分的に組み合わせて実施してもよい。なお、本発明はこれらの実施の形態および変形例に限定されるものではなく、必要に応じて種々の変形が可能である。
【符号の説明】
【０１１２】
１  照明ランプ、１ａ〜１ｐ  照明ランプ、２  カバー、２ａ〜２ｐ  カバー、３  光源モジュール、４  光源、５  基板、６  ヒートシンク、６ａ〜６ｐ  ヒートシンク、７  保持口金、８  給電口金、９  ねじ、２１  円筒部、２１ａ  出射側透光部、２１ｂ  器具側透光部、２２  出射側保持突起部、２２ａ  出射側平面、２２ｂ  器具側平面、２２ｃ  先端面、２２ｄ  露出側端面、２２ｅ  高反射層、２３  器具側保持突起部、２４  カバー内空間、２５  出射側空間、２６  器具側空間、２７  器具側反射部、２８  第２出射側保持突起部、２９  円弧部、６１  光源設置部、６２  側壁部、６３  出射側支持部、６４  器具側支持部、６５  ねじ固定部、６６  ねじ孔、６７  支持部、７１  保持口金筐体、７２  保持端子、７３  ねじ孔、８１  給電口金筐体、８２  給電端子、８３  ねじ孔、１００  照明装置、１０１  照明器具、１０２  器具本体、１０３  保持ソケット、１０４  給電ソケット、１０５  電源ボックス。
【図１】
2018113273.tif 000003
【図２】
2018113273.tif 000004
【図３】
2018113273.tif 000005
【図４】
2018113273.tif 000006
【図５】
2018113273.tif 000007
【図６】
2018113273.tif 000008
【図７】
2018113273.tif 000009
【図８】
2018113273.tif 000010
【図９】
2018113273.tif 000011
【図１０】
2018113273.tif 000012
【図１１】
2018113273.tif 000013
【図１２】
2018113273.tif 000014
【図１３】
2018113273.tif 000015
【図１４】
2018113273.tif 000016
【図１５】
2018113273.tif 000017
【図１６】
2018113273.tif 000018
【図１７】
2018113273.tif 000019
【図１８】
2018113273.tif 000020
【図１９】
2018113273.tif 000021
【図２０】
2018113273.tif 000022
【図２１】
2018113273.tif 000023
【図２２】
2018113273.tif 000024
【図２３】
2018113273.tif 000025
【図２４】
2018113273.tif 000026
【図２５】
2018113273.tif 000027
【図２６】
2018113273.tif 000028
【図２７】
2018113273.tif 000029
【図２８】
2018113273.tif 000030
【図２９】
2018113273.tif 000031
【図３０】
2018113273.tif 000032
【図３１】
2018113273.tif 000033
【図３２】
2018113273.tif 000034
【図３３】
2018113273.tif 000035
【図３４】
2018113273.tif 000036
【図３５】
2018113273.tif 000037